(57)【要約】【課題】配線が容易で且つ簡易な器具構造を実現することのできる照明器具を提供する。【解決手段】互いに色温度の異なる複数の発光部２０，２１から成る複数の発光モジュール２と、長尺に形成されて各発光モジュール２を保持する器具本体１と、外部電源に接続して各発光モジュール２に点灯電力を供給する１乃至複数の電源部（点灯装置３、端子台４）とを備え、器具本体１には、その長手方向に沿って各発光モジュール２が間隔を空けて配置され、且つ各発光モジュール２の間に前記電源部が配置される。【選択図】図１
2014216235.tif 000002
【特許請求の範囲】
【請求項１】
互いに色温度の異なる複数の発光部から成る複数の発光モジュールと、長尺に形成されて前記各発光モジュールを保持する器具本体と、外部電源に接続して前記各発光モジュールに点灯電力を供給する１乃至複数の電源部とを備え、
前記器具本体には、その長手方向に沿って前記各発光モジュールが間隔を空けて配置され、且つ前記各発光モジュールの間に前記電源部が配置されることを特徴とする照明器具。
【請求項２】
前記器具本体は、前記各発光モジュールの発する光を外部に照射させるための開口を有し、
前記器具本体には、前記開口を閉塞し且つ前記各発光モジュールの発する光を透過させる透光パネルが設けられ、
前記電源部は、前記各発光モジュールを点灯制御する点灯装置を有し、
前記透光パネルと前記点灯装置との間に隙間を設け、前記点灯装置の回路を収納するケースにおける透光パネルとの対向面に、光を反射する反射面を設けることを特徴とする請求項１記載の照明器具。
【請求項３】
前記透光パネルは、その前記各発光モジュールと対向する部位に、光を拡散するドットパターンを有することを特徴とする請求項２記載の照明器具。
【請求項４】
前記器具本体は、その長手方向の両端部が外部に開放され、
前記器具本体には、その長手方向の両端部それぞれを閉塞するエンドキャップが設けられ、
前記エンドキャップは、透光性を有する材料で形成されることを特徴とする請求項２又は３に記載の照明器具。
【請求項５】
前記エンドキャップは、前記透光パネルと重なり合う部位を有することを特徴とする請求項４に記載の照明器具。
【発明の詳細な説明】
【技術分野】
【０００１】
本発明は、調色可能な照明器具に関する。
【背景技術】
【０００２】
従来から、ＬＥＤ（Light Emission Diodeの略）光源を有するＬＥＤユニットが用いられており、例えば特許文献１に開示されている。この特許文献１に記載のＬＥＤユニットは、複数の第１のＬＥＤ光源と、第１のＬＥＤ光源とは異なる種類の複数の第２のＬＥＤ光源と、各ＬＥＤ光源を実装するＬＥＤ基板とを有している。
【０００３】
このＬＥＤユニットでは、複数の第１のＬＥＤ光源を直列に接続するとともに、複数の第２のＬＥＤ光源を第１のＬＥＤ光源とは別系統で直列に接続する。そして、このＬＥＤユニットでは、第１のＬＥＤ光源と第２のＬＥＤ光源とが、各々奇数個又は偶数個をひとかたまりとして、交互に配置している。したがって、このＬＥＤユニットでは、ＬＥＤ基板における各ＬＥＤ光源間のパターン配線を短くすることができる。
【先行技術文献】
【特許文献】
【０００４】
【特許文献１】特開２０１２−１６９２４５号公報
【発明の概要】
【発明が解決しようとする課題】
【０００５】
しかしながら、上記従来例のＬＥＤユニットでは、各光源を接続する配線を短くできるものの、多数のＬＥＤ光源をＬＥＤ基板に実装する場合には、やはり配線が複雑になってしまう。また、上記従来例のＬＥＤユニットを用いた照明器具では、全てのＬＥＤ光源を連続して一方向に亘って配置する構成であるため、器具構造が複雑になるという問題があった。
【０００６】
本発明は、上記の点に鑑みて為されたもので、配線が容易で且つ簡易な器具構造を実現することのできる照明器具を提供することを目的とする。
【課題を解決するための手段】
【０００７】
本発明の照明器具は、互いに色温度の異なる複数の発光部から成る複数の発光モジュールと、長尺に形成されて前記各発光モジュールを保持する器具本体と、外部電源に接続して前記各発光モジュールに点灯電力を供給する１乃至複数の電源部とを備え、前記器具本体には、その長手方向に沿って前記各発光モジュールが間隔を空けて配置され、且つ前記各発光モジュールの間に前記電源部が配置されることを特徴とする。
【０００８】
この照明器具において、前記器具本体は、前記各発光モジュールの発する光を外部に照射させるための開口を有し、前記器具本体には、前記開口を閉塞し且つ前記各発光モジュールの発する光を透過させる透光パネルが設けられ、前記電源部は、前記各発光モジュールを点灯制御する点灯装置を有し、前記透光パネルと前記点灯装置との間に隙間を設け、前記点灯装置の回路を収納するケースにおける透光パネルとの対向面に、光を反射する反射面を設けることが好ましい。
【０００９】
この照明器具において、前記透光パネルは、その前記各発光モジュールと対向する部位に、光を拡散するドットパターンを有することが好ましい。
【００１０】
この照明器具において、前記器具本体は、その長手方向の両端部が外部に開放され、前記器具本体には、その長手方向の両端部それぞれを閉塞するエンドキャップが設けられ、前記エンドキャップは、透光性を有する材料で形成されることが好ましい。
【００１１】
この照明器具において、前記エンドキャップは、前記透光パネルと重なり合う部位を有することが好ましい。
【発明の効果】
【００１２】
本発明では、器具本体の長手方向に沿って間隔を空けて各発光モジュールを配置し、各発光モジュールの間に電源部を配置している。このため、本発明では、発光モジュールと電源部とが隣接し、配線が容易となり、且つ簡易な器具構造を実現することができる。
【図面の簡単な説明】
【００１３】
【図１】本発明の実施形態に係る照明器具を示す図で、（ａ）は斜視図で、（ｂ）は器具本体の内部を示す図で、（ｃ）は側面図である。
【図２】同上の照明器具における器具本体を示す斜視図である。
【図３】同上の照明器具における発光モジュールを示す平面図である。
【図４】同上の照明器具における透光パネルを示す図で、（ａ）は平面図で、（ｂ）はドットパターンの拡大図である。
【図５】（ａ），（ｂ）は同上の照明器具における透光パネルの配置の説明図である。
【図６】同上の照明器具におけるエンドキャップの取付方法を示す図で、（ａ）はエンドキャップ及び器具本体の斜視図で、（ｂ），（ｃ）はエンドキャップを取り付けた器具本体の図である。
【図７】（ａ），（ｂ）は、従来の照明器具における発光素子の配置を示す図である。
【発明を実施するための形態】
【００１４】
以下、本発明の実施形態に係る照明器具について図面を用いて説明する。本実施形態の照明器具は、例えばコーブ照明やコーニス照明といった間接照明に用いるもので、図１（ａ）〜（ｃ）に示すように、器具本体１と、発光モジュール２と、点灯装置３と、端子台４と、透光パネル５と、エンドキャップ６とを備える。
【００１５】
器具本体１は、長尺に形成されて後述する各発光モジュール２を保持するものである。器具本体１は、例えば板金から成り、図２に示すように、主板１０と、第１側板１１と、第２側板１２とで構成される。主板１０は、図１（ｂ）における左右方向に沿って長尺な矩形状に形成される。主板１０の短手方向（図１（ｂ）における上下方向）の一端縁には、第１側板１１が図１（ｃ）における上向きに突出する形で一体に形成される。また、主板１０の短手方向の他端縁には、第２側板１２が図１（ｃ）における上向きに突出する形で一体に形成される。第２側板１２の高さ（図１（ｃ）における上下方向の長さ）は、第１側板１１の高さよりも高い。
【００１６】
本実施形態の照明器具では、器具本体１の図１（ｃ）における上端は、図２に示すように、各発光モジュール２が発する光を外部に放射させるために開口している。また、本実施形態の照明器具では、器具本体１は、図２に示すように、その長手方向の両端部が外部に開放されている。
【００１７】
第１側板１１の上端には、その長手方向に亘って、後述する透光パネル５の長手方向に沿った一端が挿入される第１溝１１０が設けられている。また、第２側板１２の上端には、その長手方向に亘って、透光パネル５の長手方向に沿った他端が挿入される第２溝１２０が設けられている。各溝１１０，１２０には、透光パネル５をスライド自在に挿入することができる。また、各溝１１０，１２０に透光パネル５を挿入することで、透光パネル５を器具本体１に取り付けることができる。
【００１８】
第１側板１１には、図１（ａ）に示すように、その長手方向に沿って一定の間隔を空けて３つの矩形状の第１通孔１１１、第２通孔１１２、第３通孔１１３が設けられている。第１通孔１１１及び第３通孔１１３は、それぞれ第１側板１１の長手方向の端部に設けられており、第２通孔１１２は、第１側板１１の長手方向における中央部に設けられている。各通孔１１１〜１１３は、それぞれ後述する端子台４と対向する位置に設けられている。したがって、器具本体１の外部から引き回される電源線（図示せず）や信号線（図示せず）を、各通孔１１１〜１１３を通して各端子台４に接続することができる。
【００１９】
第１側板１１の長手方向の両端部には、図２に示すように、それぞれ矩形状の取付孔１１４を設けている。各取付孔１１４は、後述するエンドキャップ６の第１取付爪６１０の先端が挿入できるように構成される。また、第２側板１２の長手方向の両端部には、図２に示すように、それぞれ矩形状の取付孔１２１，１２２を設けている。各取付孔１２１，１２２は、それぞれ後述するエンドキャップ６の第２取付爪６２０の先端を挿入できるように構成される。
【００２０】
主板１０の長手方向の両端には、図２に示すように、外向きに突出する矩形状のフランジ１３をそれぞれ一体に形成している。一方（図２における右側）のフランジ１３には、円形状の連結孔１３０を一定の間隔を空けて３つ設けている。他方（図２における左側）のフランジ１３には、円形状の２つの連結孔１３０と、径の大きい部位と径の小さい部位とが連続して一体に形成された連結孔１３１とを一定の間隔を空けて設けている。なお、連結孔１３１は、所謂「ダルマ穴」である。
【００２１】
各フランジ１３は、本実施形態の照明器具を複数連結して用いる場合に使用する。すなわち、図６（ｂ），（ｃ）に示すように、器具本体１のフランジ１３を他の器具本体１のフランジ１３と重ね合わせ、各連結孔１３０，１３１に取付ねじ（図示せず）を挿入して共締めすることで、本実施形態の照明器具を連結することができる。
【００２２】
発光モジュール２は、図３に示すように、複数のＬＥＤチップ（図示せず）を基板２２に実装して構成される。発光モジュール２は、低い色温度（本実施形態では、２３００Ｋ）の白色光を発光する複数の第１発光部２０と、高い色温度（本実施形態では、８７００Ｋ）の白色光を発光する複数の第２発光部２１とを備える。各発光部２０，２１は、全体として円を成すように配置されている。すなわち、発光モジュール２は、互いに色温度の異なる複数の発光部２０，２１から成る。
【００２３】
第１発光部２０は、青色光を発光する複数のＬＥＤチップを、橙色の蛍光体を包含する棒状の第１封止材２００で封止して構成される。したがって、ＬＥＤチップから放射される青色光の一部が蛍光体で波長変換され、波長変換された橙色光と波長変換されなかった青色光が混ざることにより、第１発光部２０から放射される光が全体として色温度の高い白色光となる。
【００２４】
第２発光部２１は、青色光を発光する複数のＬＥＤチップを、黄色の蛍光体を包含する棒状の第２封止材２１０で封止して構成される。したがって、ＬＥＤチップから放射される青色光の一部が蛍光体で波長変換され、波長変換された黄色光と波長変換されなかった青色光が混ざることにより、第１発光部２０から放射される光が全体として色温度の低い白色光となる。
【００２５】
基板２２には、各ＬＥＤチップへの給電路となる導体２５を印刷している。なお、図示では省略しているが、実際には、各ＬＥＤチップを直列又は並列、若しくは直並列に接続するように導体２５をパターニングしている。
【００２６】
また、基板２２には、第１レセプタクル２３と、第２レセプタクル２４とを実装している。第１レセプタクル２３には、導体２５を介して第１発光部２０が有する各ＬＥＤチップが接続されている。第２レセプタクルには、導体２５を介して第２発光部２１が有する各ＬＥＤチップが接続されている。なお、第１レセプタクル２３と第１発光部２０とを接続する導体２５と、第２レセプタクル２４と第２発光部２１とを接続する導体２５とは互いに電気的に絶縁されている。各レセプタクル２３，２４と、後述する点灯装置３とをケーブル（図示せず）を介して接続することで、各発光部２０，２１に点灯電力を供給することができる。
【００２７】
各発光モジュール２は、図２に示すように、放熱板８を介して器具本体１の主板１０に取り付けられる。放熱板８は、熱伝導度の高い材料(例えば、アルミ板)で形成される。したがって、各発光モジュール２が発する熱を、放熱板８及び器具本体１を介して外気へと放熱する。
【００２８】
点灯装置３は、発光モジュール２の点灯制御を行うものである。本実施形態の照明器具では、図１（ｂ）に示すように、２つの点灯装置３を備える。また、本実施形態の照明器具では、各点灯装置３は、それぞれ自身の両側に配置される発光モジュール２の点灯制御を行う。
【００２９】
各点灯装置３は、第１発光部２０を点灯する第１点灯回路（図示せず）と、第２発光部２１を点灯する第２点灯回路（図示せず）と、制御回路（図示せず）とを備える。また、点灯装置３は、各点灯回路及び制御回路を収納するケース３０を備える。制御回路は、各点灯回路を制御して各発光部２０，２１の光出力を調整して混色させることにより、各発光モジュール２の発する光の色温度を調色する。本実施形態の照明器具では、２７００Ｋ〜５０００Ｋの範囲で光の色温度を調色する。また、制御回路は、各点灯回路を制御して各発光部２０，２１の光出力を変化させることで、各発光モジュール２の調光を行う。制御回路は、外部からの制御信号に基づいて上記の制御を実行する。
【００３０】
なお、点灯装置３は上記の構成に限定するものではなく、各発光モジュール２を点灯制御するものであればよい。
【００３１】
端子台４は、主に点灯装置３と外部電源（図示せず）とを接続するためのものである。本実施形態の照明器具では、端子台４として、１つの電源用端子台４０と、２つの制御用端子台４１とを備える（図１（ｂ）参照）。電源用端子台４０は、器具本体１の長手方向における中央に設けられ、外部電源に接続された電源線（図示せず）や、隣接する照明器具からの送り線（図示せず）を接続する。電源用端子台４０と各点灯装置３とは、図示しない内部配線により接続されている。したがって、電源用端子台４０を介して各点灯装置３と外部電源とを接続することにより、点灯装置３に外部電源から電力を供給することができる。
【００３２】
制御用端子台４１は、器具本体１の長手方向の両端にそれぞれ設けられ、調光・調色用の信号線（図示せず）や、隣接する照明器具からの信号線の送り線（図示せず）を接続する。各制御用端子台４１と各点灯装置３とは、何れも図示しない内部配線により接続されている。したがって、何れかの制御用端子台４１を介して各点灯装置３に制御信号を与えることで、各点灯装置３の制御回路が、各発光モジュール２の調光又は調色を実行する。
【００３３】
なお、各端子台４は、図１（ｂ）に示すように、それぞれカバー７で覆っている。各カバー７は、例えばエチレン−プロピレン−ジエンゴム（ＥＰＤＭ）等の弾性材料から一面を開口した袋状に形成される。各端子台４をそれぞれカバー７で覆うことにより、各端子台４を除いた器具本体１の内部と、器具本体１の外部とを隔離することができる。これにより、器具本体１の内部へと虫や塵埃等の異物が侵入するのを防止することができる。
【００３４】
透光パネル５は、図１（ａ），（ｃ）に示すように、器具本体１の図１（ｃ）における上端の開口を閉塞し且つ各発光モジュール２の発する光を透過させるものである。透光パネル５は、例えばアクリル樹脂やポリカーボネート樹脂などで矩形板状に形成される。透光パネル５の各発光モジュール２と対向する部位には、それぞれ光を拡散するドットパターン５０を設けている。
【００３５】
各ドットパターン５０は、図４（ｂ）に示すように、互いにドット密度の異なる４つの領域５００〜５０４から成る。そして、ドット密度は、発光モジュール２に最も近い第１領域５００で最も大きく、第２領域５０１、第３領域５０２、第４領域５０４と発光モジュールから遠ざかるほど小さくなっている。このように、透光パネル５に各ドットパターン５０を設けることで、透光パネル５を通して外部へと照射される光の均斉度を、透光パネル５の長手方向に亘って均一にすることができる。
【００３６】
なお、本実施形態の照明器具では、壁面や天井面に効率良く光を照射できるようにすべく、図１（ｃ）に示すように、透光パネル５を設置面（器具本体１の主板１０が取り付けられる面）に対して傾斜させている。そして、本実施形態の照明器具では、透光パネル５と各点灯装置３との間に隙間Ｓ１を設けている。すなわち、透光パネル５の点灯装置３と対向する部位には、点灯装置３と隣り合う発光モジュール２からの光が届きにくいため、暗がりとなって光むらが生じ易い。そこで、透光パネル５と各点灯装置３との間に隙間Ｓ１を設けることで、当該部位に発光モジュール２からの光を導くことができ、光むらを生じ難くすることができる。このとき、点灯装置３のケース３０上面や第２側板１２の一部が反射面となることで、当該部位から光を採り出し易くなるため、より一層光むらを生じ難くすることができる。なお、ケース３０の上面は、例えば白色の塗料で塗装することにより反射面とすることができる。
【００３７】
更に、本実施形態の照明器具では、器具本体１及び透光パネル５の構成を工夫している。すなわち、図５（ａ）に示すように、点灯装置３を挟んだ両側の発光モジュール２各々が放射する光のうち、当該点灯装置３に遮られない境界上の光が交差する点の集合を集合Ｐ１とする。そして、本実施形態の照明器具では、図５（ｂ）に示すように、この集合Ｐ１が透光パネル５の外側に位置しないように器具本体１及び透光パネル５を構成している。このように構成すれば、透光パネル５の点灯装置３と対向する部位に効率良く発光モジュール２からの光を導くことができる。
【００３８】
エンドキャップ６は、図１（ａ）に示すように、器具本体１の長手方向の両端部それぞれを閉塞するものである。各エンドキャップ６は、例えばアクリル樹脂やポリカーボネート樹脂などの透光性を有する樹脂材料によって形成される。各エンドキャップ６は、図６（ａ）に示すように、主片６０と、第１側片６１と、第２側片６２と、第３側片６３と、第４側片６４とで構成される。主片６０は、図６（ａ）における上辺が傾斜した四角形状に形成される。そして、各エンドキャップ６は、主片６０の四辺に各側片６１〜６４を一体に形成することで、全体として一面を開口した箱体に構成される。
【００３９】
第１側片６１には、図６（ａ）に示すように、矩形状の第１取付爪６１０を切り欠くことで形成している。同様に、第２側片６２には、矩形状の２つの第２取付爪６２０を切り欠くことで形成している。各取付爪６１０，６２０の先端は鈎状に形成されている。したがって、各取付爪６１０，６２０の先端を器具本体１の各取付孔１１４，１２１，１２２に挿入して周縁に引っ掛けることで、エンドキャップ６を器具本体１に取り付けることができる。
【００４０】
第３側片６３は、図６（ａ）に示すように、他の側片６１，６２，６４よりも器具本体１に向かって突出するように形成されている。そして、図６（ｂ），（ｃ）に示すように、第３側片６３は、エンドキャップ６を器具本体１に取り付けた状態で、透光パネル５と重なり合う。すなわち、各エンドキャップ６は、透光パネル５と重なり合う部位を有する。このように、各エンドキャップ６の一部が透光パネル５と重なり合うことにより、透光パネル５と各エンドキャップ６との間に隙間が生じ難い。したがって、透光パネル５と各エンドキャップ６との隙間から器具本体１の内部へと虫や塵埃等の異物が侵入するのを防止することができる。
【００４１】
また、本実施形態の照明器具では、上述のように、エンドキャップ６を透光性を有する材料で形成している。このため、器具本体１の長手方向の両端近傍に発光モジュール２を配置した場合でも、当該発光モジュール２が発する光をエンドキャップ６を介して外部に照射させることができる。すなわち、エンドキャップ６が発光モジュール２の発する光を阻害するのを回避することができる。
【００４２】
ここで、従来の照明器具では、図７（ａ）に示すように、互いに色温度の異なる２種類の第１発光素子９０及び第２発光素子９１を器具本体９の長手方向に沿って交互に連続して配置していた。また、従来の照明器具では、図７（ｂ）に示すように、各発光素子９０，９１を器具本体９の短手方向に沿って配置したものを１組とし、この組を器具本体９の長手方向に沿って複数連続して配置していた。なお、第１発光素子９０は、青色光を発光するＬＥＤチップを、黄色の蛍光体を包含する封止材で封止したもので、粒状に形成されているものとする。また、第２発光素子９１は、青色光を発光するＬＥＤチップを、橙色の蛍光体を包含する封止材で封止したもので、粒状に形成されているものとする。
【００４３】
しかしながら、上記従来の照明器具では、何れも全ての発光素子９０，９１を器具本体９の長手方向に沿って連続して配置する構成である。このため、従来の照明器具では、器具本体９の長手方向の両端部や、各発光素子９０，９１を実装した基板（図示せず）の裏側に端子台４や点灯回路３を配置する必要がある。
【００４４】
器具本体９の長手方向の両端部に点灯装置３や端子台４を配置する場合、各器具本体９の両端部には発光素子９０，９１を配置できないため、例えば複数の照明器具を連結して用いると、各器具本体９の両端部に暗がりが生じるという問題がある。また、器具本体９が規定寸法で設計されていれば、点灯装置３や端子台４の設置領域の分だけ発光領域が狭まってしまう。更に、一定の発光領域を確保しようとすれば、点灯装置３や端子台４の設置領域の分だけ器具本体９の長手方向の寸法を大きくせねばならず、器具本体９が大型化してしまう。
【００４５】
一方、各発光素子９０，９１を実装した基板の裏側に点灯装置３や端子台４を配置する場合、上記の問題は解消することができるが、放熱を考慮した設計が困難となり、器具構造が複雑になるという問題があった。
【００４６】
そこで、本実施形態の照明器具は、図３に示すように、互いに色温度の異なる複数の各発光部２０，２１から１つの発光モジュール２を構成している。そして、本実施形態の照明器具では、図１（ｂ）に示すように、器具本体１の長手方向に沿って各発光モジュール２を間隔を空けて配置し、各発光モジュール２の間に電源部を配置するように構成している。なお、「電源部」とは、外部電源に接続して各発光モジュール２に点灯電力を供給するものであり、本実施形態の照明器具では点灯装置３及び端子台４が該当する。
【００４７】
したがって、本実施形態の照明器具では、各発光モジュール２の間に電源部が配置されることから、発光モジュール２と電源部とが隣接する。このため、本実施形態の照明器具では、隣接する発光モジュール２と電源部とを接続すればよいので、配線が容易となる。また、本実施形態の照明器具では、従来の照明器具のように器具本体１の長手方向の両端部や、各発光モジュール２の実装面と反対側に電源部を配置する必要がないため、簡易な器具構造を実現することができる。
【００４８】
なお、本実施形態の照明器具では、発光モジュール２及び点灯装置３を主板１０に取り付けているが、発光モジュール２及び点灯装置３の何れか一方を主板１０に取り付け、他方を第１側板１１又は第２側板１２に取り付ける構成であってもよい。その他、本実施形態の照明器具は、発光モジュール２及び点灯装置３の両方を、第１側板１１又は第２側板１２に取り付ける構成であってもよい。
【００４９】
また、本実施形態の照明器具では、ＬＥＤチップを用いて発光モジュールを構成しているが、例えば、有機エレクトロルミネセンス素子などの他の発光素子を用いて発光モジュールを構成してもよい。
【符号の説明】
【００５０】
１  器具本体
２  発光モジュール
３  点灯装置（電源部）
４  端子台（電源部）
【図１】
2014216235.tif 000003
【図２】
2014216235.tif 000004
【図３】
2014216235.tif 000005
【図４】
2014216235.tif 000006
【図５】
2014216235.tif 000007
【図６】
2014216235.tif 000008
【図７】
2014216235.tif 000009